(57)【要約】 【課題】  バリエーション豊富な美しい背景を迅速に撮影することのできる写真撮影プリント装置を提供する。【解決手段】  被写体の撮影を行うカメラユニット（撮影手段）と、該カメラユニットによって撮影された画像に基づきプリント紙に対して画像の出力を行うプリンタ（画像出力手段）とを有する写真撮影プリント装置１０において、被写体位置の背面に配される背景部材５４と、光透過部を有する補助背景部材５３と、該補助背景部材５３を、撮影手段に対する上記背景部材の前面であって被写体位置の背面または前面に移動させる補助背景移動手段１００とを備え、上記光透過部を、所定の模様形状を有する透明部１０５（あるいは刳り抜き部）とする。【選択図】  図１
2005274981.tif 000002
【特許請求の範囲】
【請求項１】
被写体の撮影を行う撮影手段と、上記撮影手段によって撮影された画像に基づきプリント紙に対して画像の出力を行う画像出力手段とを有する写真撮影プリント装置において、
上記撮影手段に対して被写体位置の背面に配される背景部材と、光透過部を有する補助背景部材と、該補助背景部材を、撮影手段に対する上記背景部材の前面であって被写体位置の背面または前面に移動させる補助背景移動手段とを備え、
上記光透過部は、所定の模様形状を有する透明部あるいは刳り抜き部であることを特徴とする写真撮影プリント装置。
【請求項２】
上記背景部材を複数備えるとともに、該背景部材のいずれか１つあるいは複数を上記被写体位置の背面に選択的に移動させる背景移動手段を備えることを特徴とする請求項１記載の写真撮影プリント装置。
【請求項３】
補助背景部材を複数備え、上記補助背景移動手段は、上記補助背景のいずれか１つを、撮影手段に対する上記背景部材の前面であって被写体位置の背面または前面に選択的に移動させることを特徴とする請求項１記載の写真撮影プリント装置。
【請求項４】
上記各背景部材は、単色あるいは均一な柄模様で構成されていることを特徴とする請求項２記載の写真撮影プリント装置。
【請求項５】
上記背景移動手段は、いずれの背景部材を選択した場合にも、この選択した背景部材を同じ位置に移動させることを特徴とする請求項２記載の写真撮影プリント装置。
【請求項６】
上記補助移動手段は、いずれの補助背景部材を選択した場合にも、この選択した補助背景部材を同じ位置に移動させることを特徴とする請求項３記載の写真撮影プリント装置。
【請求項７】
上記補助背景移動手段および上記背景移動手段を制御する背景制御手段を備えたことを特徴とする請求項２記載の写真撮影プリント装置。
【請求項８】
撮影が行われる撮影空間上には、上記背景部材に対応して、上記撮影手段に対する近接離反方向にほぼ直交する複数の背景用ロール軸が、上記近接離反方向に沿って設けられるとともに、この複数の背景用ロール軸の撮影手段側には、上記補助背景部材に対応して、撮影手段に対する近接離反方向とほぼ直交するような補助背景用ロール軸が、撮影手段に対する近接離反方向に沿って設けられ、
上記各背景用ロール軸にはカーテン状の背景部材が巻かれているとともに、上記補助背景用ロール軸にはカーテン状の補助背景部材が、上記各背景部材とは逆回転方向に巻かれており、補助背景部材は、上記補助背景移動手段によってロール軸に対して撮影手段の反対側から引き出される一方、背景部材は、上記背景移動手段によって背景用ロール軸に対して撮影手段側から引き出されることを特徴とする請求項２、４、５、７のいずれか１項
に記載の写真撮影プリント装置。
【請求項９】
撮影が行われる撮影空間上には、上記背景部材に対応して、上記撮影手段に対する近接離反方向にほぼ直交する複数の背景用ロール軸が、撮影手段に対する近接離反方向に沿って設けられるとともに、この複数の背景用ロール軸の撮影手段側には、上記補助背景部材に対応して、撮影手段に対する近接離反方向とほぼ直交するような補助背景用ロール軸が、撮影手段に対する近接離反方向に沿って設けられ、
上記補助背景移動手段は、補助背景用ロール軸に巻かれたカーテン状の補助背景部材を撮影空間に引き出すための第１の回転ローラを備えるとともに、上記背景移動手段は、背景用ロール軸に巻かれたカーテン状の背景部材を撮影空間に引き出すための第２の回転ローラを備え、
上記第１および第２の回転ローラは、撮影手段に対する近接離反方向に移動可能に構成されていることを特徴とする請求項２、４、５、７のいずれか１項に記載の写真撮影プリント装置。
【請求項１０】
上記背景移動手段は、上記複数の背景部材を撮影空間内にて互いに段違いとなるように引き出すことを特徴とする請求項８または９に記載の写真撮影プリント装置。
【請求項１１】
被写体の撮影を行う撮影手段と、上記撮影手段によって撮影された画像に基づきプリント紙に対して画像の出力を行う画像出力手段と、上記撮影手段に対する被写体位置の背面に配される背景部材とを有する写真撮影プリント装置の動作制御方法であって、
所定の模様形状を有する透明部あるいは刳り抜き部を備えた補助背景部材を、上記撮影手段に対する背景部材の前面であって、上記撮影手段に対する上記被写体位置の背面または前面に移動させることを特徴とする写真撮影プリント装置の動作制御方法。
【発明の詳細な説明】
【技術分野】
【０００１】
本発明は、利用者の写真撮影を行い、シールプリントとして出力する写真撮影プリント装置に関し、より具体的には、被写体（利用者）の背景の演出に関する。
【背景技術】
【０００２】
従来、例えばゲームセンターなどの娯楽施設において、利用者の写真撮影を行うとともに、その写真を背景画像などと合成した上でシールプリントとして出力する写真撮影プリント装置（写真シール自動販売機）が設置されており、人気を博している。この写真撮影プリント装置には、撮影した画像上に利用者が付属のタッチペンで任意の文字や図形などを書き込むことが可能となっているものも存在している。このような写真撮影プリント装置での処理は、コイン投入、撮影処理、編集（落書き）処理、シール印刷という流れになっており、一連の操作を終了した利用者は、投入したコインに対する成果物であるシールプリントを受け取ることによってプレイを終了することになる。
【０００３】
従来の写真撮影プリント装置としては、撮影が行なわれる撮影空間の後方、すなわち、撮影装置に対する被写体の背面にカーテンを配置し、該カーテンを背景として被写体の撮影を行う装置が知られている。そして、ユーザは、よりオリジナリティーの高いシールプリントを求めるべく、上記の背景（写真背景）にもより多くのバリエーションを要望している。
【０００４】
この点に関し、特許文献１には、複数の単色カーテンと、複数の柄入り透明カーテン（柄模様部分以外が透明である透明カーテン）とを撮影空間の上方にロール状にて配置し、利用者が選択した単色および柄カーテンの２枚を撮影空間内に降ろすことで、これらを合成（単色の背景上に模様部分を合成し、模様入りの背景を実現）する写真撮影プリント装置が開示されている。この装置によれば、任意の単色カーテンと、任意の柄入り透明カーテンとを組み合わせることで、背景のバリエーションを増加させることができる。
【特許文献１】特開２００３−２８００８３号公報（公開日：２００３年１０月２日）
【発明の開示】
【発明が解決しようとする課題】
【０００５】
しかしながら、上記特許文献１記載の柄入り透明カーテンは、柄模様部分以外の大部分が透明であるため、写真撮影時に乱反射が発生し、意図した美しい背景演出が害されるという問題がある。また、上記のような（大部分が透明な）カーテンにはビニル系素材が多く用いられるが、このビニル系素材は布カーテン等に比較して比重が大きい上に柔軟性にも劣り、加えて、静電気の発生によって互いにくっつきやすく、（ロール状態からの）引き降ろし動作や（ロール状態への）巻き上げ動作を迅速に行えないという問題もある。このように、撮影結果（シールプリント）に意図した背景演出がなされていなかったり、撮影前の背景演出に時間がかかったりすることは、ユーザが不満感を抱く原因となる。
【０００６】
本発明は上記の問題を解決するためになされたものであり、その目的は、バリエーション豊富な美しい背景を迅速に撮影することのできる写真撮影プリント装置を提供する点にある。
【課題を解決するための手段】
【０００７】
本発明の写真撮影プリント装置は、上記課題を解決するために、被写体の撮影を行う撮影手段と、上記撮影手段によって撮影された画像に基づきプリント紙に対して画像の出力を行う画像出力手段とを有する写真撮影プリント装置において、上記撮影手段に対する被写体位置の背面に配される背景部材と、光透過部を有する補助背景部材と、該補助背景部材を、撮影手段に対する上記背景部材の前面であって被写体位置の背面または前面に移動させる補助背景移動手段とを備え、上記光透過部は、所定の模様形状を有する透明部あるいは刳り抜き部であることを特徴としている。
【０００８】
上記構成においては、上記補助背景移動手段によって、撮影手段に対する被写体の背面または前面に、所定の模様形状を有する透明部あるいは刳り抜き部を備えた補助背景部材が配される。また、撮影手段に対する該補助背景部材および被写体の背面には背景部材が配されている。
【０００９】
したがって、この状態で撮影を行うと、補助背景部材の透明部あるいは刳り抜き部に背景部材が透けて撮影され、模様部分が背景部材の色あるいは柄になる。すなわち、上記補助背景部材と上記背景部材とを合成した背景を撮影することができ、背景のバリエーションを増加させることができる。
【００１０】
また、上記補助背景部材は、その模様部分のみが光透過部（透かし部）であるため、撮影の際の乱反射を抑制することができる。さらに、上記補助背景部材の素材には通常の背景素材（例えば、布製）を用いることができるため、上記したようなビニル系素材を用いた透明カーテンに比較して、その移動が容易であるとともに、湾曲や型のない適正な状態（ほぼ平面の状態）をもって撮影ができる。
【００１１】
これにより、美しい背景を迅速に撮影することができ、ユーザの要望を充足することができる。
【００１２】
また、上記写真撮影プリント装置においては、上記背景部材を複数備えるとともに、該背景部材のいずれか１つあるいは複数を上記被写体位置の背面に移動させる背景移動手段を備えることが好ましい。上記構成によれば、背景移動手段によって、背景部材を変えることができる。これにより、補助背景部材と任意の背景部材との組み合わせによって、さらに背景のバリエーションを増加させることができる。
【００１３】
また、上記写真撮影プリント装置においては、上記補助背景部材を複数備え、上記背景移動手段は、上記補助背景のいずれか１つを移動させることが好ましい。これにより、任意の補助背景部材と任意の背景部材との組み合わせによって、さらに背景のバリエーションを増加させることができる。
【００１４】
また、上記写真撮影プリント装置においては、上記各背景部材は、単色あるいは均一な柄模様で構成されていることが好ましい。上記構成によれば、補助背景部材の模様部分（透明部あるいは刳り抜き部）に背景部材の単色あるいはストライプ柄が合成された、美しい背景を撮影することができる。
【００１５】
また、上記写真撮影プリント装置においては、上記背景移動手段は、複数の背景部材を、各背景部材が互いにずれて位置するように移動させることが好ましい。上記構成によれば、補助背景部材の模様部分（透明部あるいは刳り抜き部）から、複数の背景部材が透けることになり、背景のバリエーションを一層増加させることができる。
【００１６】
また、上記写真撮影プリント装置においては、上記背景移動手段は、いずれの背景部材を選択した場合にも、この選択した背景部材を同じ位置に移動させることが好ましい。上記構成によれば、どの背景部材が選択された場合でも、この背景部材が配される位置が変わらないので、背景の撮影品質を均一なものにできる。
【００１７】
また、上記写真撮影プリント装置においては、上記補助移動手段は、いずれの補助背景部材を選択した場合にも、この選択した補助背景部材を同じ位置に移動させることが好ましい。上記構成によれば、どの補助背景部材が選択された場合でも、この補助背景部材が配される位置が変わらないので、背景の撮影品質を均一なものにできる。
【００１８】
また、上記写真撮影プリント装置においては、上記補助背景移動手段および上記背景移動手段を制御する背景制御手段を備えることが好ましい。上記構成によれば、補助背景移動手段や背景移動手段の機械的制御によって、補助背景部材や背景部材を移動させることができ、便利である。
【００１９】
また、上記写真撮影プリント装置においては、撮影が行われる撮影空間上には、上記背景部材に対応して、上記撮影手段に対する近接離反方向にほぼ直交する複数の背景用ロール軸が、上記近接離反方向に沿って設けられるとともに、この複数の背景用ロール軸の撮影手段側には、上記補助背景部材に対応して、撮影手段に対する近接離反方向とほぼ直交するような補助背景用ロール軸が、撮影手段に対する近接離反方向に沿って設けられ、
上記各背景用ロール軸にはカーテン状の背景部材が巻かれているとともに、上記補助背景用ロール軸にはカーテン状の補助背景部材が、上記各背景部材とは逆回転方向に巻かれており、補助背景部材は、上記補助背景移動手段によってロール軸に対して撮影手段の反対側から引き出される一方、背景部材は、上記背景移動手段によって背景用ロール軸に対して撮影手段側から引き出されることが好ましい。
【００２０】
上記構成によれば、補助背景用ロール軸に巻かれたカーテン状の補助背景部材と、背景用ロール軸に巻かれたカーテン状の背景部材とが、撮影手段に対する近接離反方向にそって設けられるが、このとき、両者の巻き（回転）方向を逆方向にしておく。
【００２１】
これにより、カーテン状の補助背景部材とカーテン状の背景部材とをロール軸を回転させながら引き出したとき、両者の回転方向が逆向きとなる。すなわち、上記補助背景部材をロール軸に対して撮影手段の反対側から引き出す一方、上記各背景部材を背景用ロール軸に対して撮影手段側から引き出すことが可能となる。これにより、カーテン状の補助背景部材と背景部材とを近接位置にて、撮影空間に降ろしていくことができる。この結果、補助背景部材と背景部材とが自然な状態で合成され、（補助背景部材と背景部材とが同一平面で合成されたかのような）不自然さのない美しい背景を撮影することができる。
【００２２】
また、上記写真撮影プリント装置においては、撮影が行われる撮影空間上には、上記背景部材に対応して、上記撮影手段に対する近接離反方向にほぼ直交する複数の背景用ロール軸が、撮影手段に対する近接離反方向に沿って設けられるとともに、この複数の背景用ロール軸の撮影手段側には、上記補助背景部材に対応して、撮影手段に対する近接離反方向とほぼ直交するような補助背景用ロール軸が、撮影手段に対する近接離反方向に沿って設けられ、上記補助背景移動手段は、補助背景用ロール軸に巻かれたカーテン状の補助背景部材を撮影空間に引き出すための第１の回転ローラを備えるとともに、上記背景移動手段は、背景用ロール軸に巻かれたカーテン状の背景部材を撮影空間に引き出すための第２の回転ローラを備え、上記第１および第２の回転ローラは、撮影手段に対する近接離反方向に移動可能に構成されていることが好ましい。
【００２３】
上記構成によれば、まず、補助背景部材を一定量降ろした後、移動可能な第１の回転ローラを上記補助背景部材に当接するように移動させる。そして、この状態で上記第１の回転ローラを背景部材側に移動させた後にローラを回転させ、補助背景部材を降ろしていく。ついで、背景部材を一定量降ろした後、移動可能な第２の回転ローラを上記背景部材に当接するように移動させる。そして、この状態で上記第２の回転ローラを補助背景部材側に移動させた後にローラを回転させ、背景部材を降ろしていく。
【００２４】
上記構成によれば、どの背景部材が選択された場合でも、この背景部材が配される位置が変わらないので、背景の撮影品質を均一なものにできる。さらに、カーテン状の補助背景部材と背景部材とを近接位置にて、撮影空間に降ろしていくことができる。この結果、補助背景部材と背景部材とが自然な状態で合成され、（補助背景部材と背景部材とが同一平面で合成されたかのような）不自然さのない美しい背景を撮影することができる。
【００２５】
また、上記写真撮影プリント装置においては、上記背景移動手段は、上記複数の背景部材を撮影空間内にて互いに段違いとなるように引き出すことが好ましい。上記構成によれば、補助背景部材の模様部分（透明部あるいは刳り抜き部）から、複数の背景部材が透けることになり、背景のバリエーションを一層増加させることができる。
【００２６】
また、本発明の写真撮影プリント装置の動作制御方法は、上記課題を解決するために、被写体の撮影を行う撮影手段と、上記撮影手段によって撮影された画像に基づきプリント紙に対して画像の出力を行う画像出力手段と、上記撮影手段に対する被写体位置の背面に配される背景部材とを有する写真プリント装置の動作制御方法であって、
所定の模様形状を有する透明部あるいは刳り抜き部を備えた補助背景部材を、上記撮影手段に対する背景部材の前面であって、上記撮影手段に対する上記被写体位置の背面または前面に移動させることを特徴としている。
【発明の効果】
【００２７】
以上のように、本発明の写真撮影プリント装置は、撮影の際の乱反射を抑制することができる。さらに、従来のビニル系素材を用いた透明カーテンに比較して、その移動が容易であるとともに、湾曲や型のない適正な状態（ほぼ平面の状態）をもって撮影ができる。これにより、美しい背景を迅速に撮影することができ、ユーザの要望を充足することができる。
【発明を実施するための最良の形態】
【００２８】
本発明の実施の一形態について、図１〜図１１に基づいて説明すれば、以下のとおりである。
【００２９】
図１に、本実施形態における写真撮影プリント装置全体の斜視図を示す。同図に示されるように、写真撮影プリント装置１０は、床６６と、本体装置１１と、対向壁３０と、背景装置１００（補助背景移動手段・背景移動手段）と、支持部材４９（４９ａ・４９ｂ）・５０（５０ａ・５０ｂ）とを備えている。ここで、本体装置１１は、カメラユニット（撮影手段、図示せず）と、プリンタ（画像出力手段、図示せず）と、背景装置１００を制御する背景制御部７２（背景制御手段、図示せず）と、装置編集処理用タッチパネル（画像表示部）１２と、タッチペン１３ａ・１３ｂと、事後接客用タッチパネル１４と、プリント排出口１５とを備えている。
【００３０】
床６６は長板状であり、その長手方向の一端側に本体装置１１が、他端側に対向壁３０が備えられ、この長手方向が、撮影装置に対する近接離反方向（以下、撮影方向）である。そして、この本体装置１１と対向壁３０とに挟まれた空間が撮影空間５７となる。以下では、適宜、撮影方向における本体装置１１側を、写真撮影プリント装置１０（あるいは撮影空間５７）の「前」側、対向壁３０側を写真撮影プリント装置１０（あるいは撮影空間５７）の「後」側とする。また、撮影空間５７から本体装置１１に向かって左右方向を、写真撮影プリント装置１０（あるいは本体装置１１や対向壁３０）の「左」側および「右」側とする。また、写真撮影プリント装置１０の床６６側を、写真撮影プリント装置１０（あるいは撮影空間５７）の「下」側、その反対側を写真撮影プリント装置１０（あるいは撮影空間５７）の「上」側とする。さらに、撮影空間５７からみて床６６の向きを一般に下方向、その反対向き（鉛直上向き）を「上」方向とする。
【００３１】
ここで、本体装置１１の上部および対向壁３０の上部の両端には、支持部材４９ａ・４９ｂが架設されており、各支持部材４９ａ・４９ｂそれぞれの上部に、支持部材５０ａ・５０ｂが架設されている。すなわち、各支持部材４９ａは、本体装置１１上部の左の端および対向壁３０上部の左の端に架設されており、支持部材４９ｂは、本体装置１１上部の右の端および対向壁３０上部の右の端に架設されている。また、支持部材４９ａの上部には、支持部材４９ａと平行に支持部材５０ａが架設され、支持部材４９ｂの上部には、支持部材４９ｂと平行に支持部材５０ｂが架設されている。この支持部材４９・５０は、撮影空間５７上に設けられた背景装置１００の各構成部材を支持するものである。
【００３２】
背景装置１００は、３本の補助背景用ロール軸５１（５１ａ〜５１ｃ）（補助背景移動）と、６本の背景用ロール軸５２（５２ａ〜５２ｆ）（背景移動手段）と、３種類の補助背景カーテン５３（５３ａ〜５３ｃ、補助背景部材）と、６種類の背景カーテン５４（５４ａ〜５４ｆ、背景部材）と、第１の回転ローラ５５（背景移動手段）と、第２の回転ローラ５６（背景移動手段）と、スライドユニット５８ｘ（補助背景移動手段）・５８ｙ（背景移動手段）とを有している。なお、図示しないが、背景装置１００には、さらに、各背景カーテン５４（ロール状）および各補助背景カーテン５３（ロール状）を覆うカバー部材とカーテンの引き出しあるいは巻き込みをスムーズにするガイド部材とが設けられている。
【００３３】
支持部材４９ａ・４９ｂは、スライドユニット５８ｘ（本体装置１１側）と、スライドユニット５８ｙ（対向壁３０側）とを支持している。また、このスライドユニット５８ｘは、該スライドユニット５８ｘに対応する第１の回転ローラ５５を移動可能に支持している。ここで、第１の回転ローラ５５の回転軸は撮影方向とほぼ直交している。また、スライドユニット５８ｙは、該スライドユニット５８ｙに対応する第２の回転ローラ５６を移動可能に支持している。ここで、第２の回転ローラ５６の回転軸も撮影方向とほぼ直交している。さらに、これら第１および第２の回転ローラ５５・５６上（スライドユニット５８ｘ・５８ｙ上）には、各補助背景用ロール軸５１および各背景用ロール軸５２が設けられている。
【００３４】
すなわち、スライドユニット５８ｘおよび第１の回転ローラ５５の上部には、３本の補助背景用ロール軸５１が、各回転軸が撮影方向とほぼ直交するように、支持部材５０ａ・５０ｂにより回転可能に支持されている。また、スライドユニット５８ｙおよび第２の回転ローラ５６の上部には、６本の背景用ロール軸５２が、各回転軸が撮影方向とほぼ直交するように、支持部材５０ａ・５０ｂにより回転可能に支持されている。なお、上記補助背景用ロール軸５１および背景用ロール軸５２は、図示しないモータ（背景用モータおよび補助背景用モータ）により回転可能である。
この各補助背景用ロール軸５１には補助背景カーテン５３が巻かれ、各背景用ロール軸５２には背景カーテン５４が巻かれている。なお、後述するように、補助背景カーテン５３および背景カーテン５４の巻き方向は、互いに逆向きとなっている。
【００３５】
ここで、図３（ａ）に、補助背景用のスライドユニット５８ｘの平面図を示し、（ｂ）に、スライドユニット５８ｘの側面図を示す。なお、背景用のスライドユニット５８ｙも同様の構造である。
【００３６】
図３（ａ）（ｂ）に示されるように、各スライドユニット５８ｘ（５８ｙ）は、スライドモータ９１と、このスライドモータ９１の回転軸に取り付けられたモータ歯車９８と、２個のプーリー９２ａ・９２ｂを両側に備え、その間に中継歯車９７を備えた主回転軸９４と、プーリー９２ａ・９２ｂに対応する対応プーリー９２ｃ・９２ｄと、両面歯付きベルト９３ａ・９３ｂとを有している。
【００３７】
そして、モータ歯車９８と中継歯車９７とがかみ合っており、モータ歯車９８の回転によって中継歯車９７が回転すると、これに伴って主回転軸９４およびプーリー９２ａ・９２ｂが回転する。主回転軸９４は、撮影方向にほぼ直交すように支持される。そして、プーリー９２ａおよび対応プーリー９２ｃは撮影方向に沿って設けられており、プーリー９２ｂおよび対応プーリー９２ｄは、プーリー９２ｃ・９２ｄも撮影方向に沿って設けられている。これら主回転軸９４および対応プーリー９２ｃ・９２ｄは、上記した支持部材４９ａ・４９ｂに回転可能に支持されている。さらに、プーリー９２ａおよび対応プーリー９２ｃには両面歯付きベルト９３ａが掛けられており、プーリー９２ｂおよび対応プーリー９２ｄには両面歯付きベルト９３ｂが掛けられている。
【００３８】
ここで、上記支持部材４９ａ・４９ｂには、スライドベアリングを内蔵した移動台９６ａ・９６ｂが撮影方向に移動可能に支持されており、上記した第１の回転ローラ５５は、その回転軸５５Ｓの両端が、移動台９６ａ・９６ｂに回転可能に取り付けられている。さらに、この第１の回転ローラ５５の回転軸５５Ｓの両端の内側には、歯車９５ａ・９５ｂが備えられ、このローラ歯車９５ａと両面歯付きベルト９３ａとがかみ合っており、ローラ歯車９５ｂと両面歯付きベルト９３ｂとがかみ合っている
上記構成において、スライドモータ９１が回転すると、モータ歯車９２および中継歯車９７を介して、主回転軸９４が回転し、これに伴って、プーリー９２ａ・９２ｂおよび対応プーリー９２ｃ・９２ｄが回転する。同時に、プーリー９２ａおよび対応プーリー９２ｃに掛けられた両面歯付きベルト９３ａと、プーリー９２ｂおよび対応プーリー９２ｄに掛けられた両面歯付きベルト９３ｂとが回転する。その結果、両面歯付きベルト９３ａに噛み合うローラ歯車９５ａと、両面歯付きベルト９３ｂに噛み合うローラ歯車９５ｂとが同一方向に回転するため、第１の回転ローラ５５の回転軸５５Ｓも回転しながら撮影方向に移動する。これにより、第１の回転ローラ５５と移動台９６ａ・９６ｂとは、一体となって撮影方向に移動する。
【００３９】
図５（ａ）に、本実施の形態に係る写真撮影プリント装置の断面図を示す。また、図５（ｂ）は、（ａ）に示す写真撮影プリント装置の背景装置部分の拡大断面図である。図５（ａ）に示されるように、写真撮影プリント装置１０においては、床６６上に、本体装置１１と、本体装置１１に対向する対向壁３０とが備えられ、これらの間が撮影空間５７となっている。この撮影空間５７上には、背景装置１００が備えられている。本体装置１１には、カメラユニット２と、撮影処理用タッチパネル８とが設けられている。なお、カメラユニット２と補助背景カーテン５３ａとの間に、被写体（ユーザ）位置Ｕが存在する。
【００４０】
また、背景装置１００には、図５（ｂ）に示されるように、補助背景用ロール軸５１ａ〜５１ｃそれぞれに巻かれた３種類の補助背景カーテン５３ａ〜５３ｃと、背景用ロール軸５２ａ〜５２ｆそれぞれに巻かれた６種類の背景カーテン５４ａ〜５４ｆと、第１の回転ローラ５５と、これに対応するスライドユニット５８ｘと、第２の回転ローラ５６と、これに対応するスライドユニット５８ｙと、ロール状の各補助背景カーテン５３ａ〜５３ｃを覆う補助背景カバー６１ａ〜６１ｃと、各補助背景カーテン５３ａ〜５３ｃの引き出しや巻き取りをスムーズにする補助背景ガイド６３ａ〜６３ｃと、ロール状の各背景カーテン５４ａ〜５４ｆを覆う背景カバー６２ａ〜６２ｆと、各背景カーテン５４ａ〜５４ｆの引き出しや巻き取りをスムーズにする背景ガイド６４ａ〜６４ｆとが備えられている。
【００４１】
ここで、図２（ａ）（ｂ）に、補助背景カーテンの構成を示し、（ｃ）（ｄ）（ｅ）に、背景カーテンの構成を示す。また、図２（ｇ）（ｈ）は、これら補助背景カーテンと背景カーテンとを合成した場合の状態示す。
【００４２】
図２（ａ）に示されように、補助背景カーテン５３は、模様形状（流れ星）を有する光透過部として透明部１０５を有する。この光透過部は、図２（ｂ）に示されように、刳り貫き（穴あき）部１０６であってもかまわない。補助背景カーテン５３の光透過部はどうのような模様形状であってもかまわないため、補助背景カーテン５３としてレースカーテンのようなものを用いることもできる。
【００４３】
背景カーテン５４は、単色カーテンで構成される（図２（ｃ）・（ｅ）参照、ただし、同図は単色カーテンを表現している）。なお、図２（ｄ）に示されように、ストライプ柄があってもかまわない。また、上記したように、図２（ｅ）のごとく、２種類の背景カーテン５４を段違いに配置することも可能である。
【００４４】
上記の補助背景カーテン５３と背景カーテン５４を重ねて（合成して）撮影した場合の結果を図２（ｆ）（ｇ）（ｈ）に示す。なお、図２（ｆ）は、図２（ａ）の補助背景カーテン５３と図２（ｃ）の背景カーテン５３との組み合わせ、図２（ｇ）は、図２（ｂ）の補助背景カーテン５３と図２（ｄ）の背景カーテン５３との組み合わせ、図２（ｈ）は、図２（ａ）の補助背景カーテン５３と図２（ｅ）の背景カーテン５３との組み合わせである。
【００４５】
同図に示されるように、補助背景カーテン５３の透明部１０５や刳り貫き（穴あき）部１０６に背景カーテン５３を合成したバリエーション豊富な背景撮影が可能となる。
【００４６】
さらに、上記補助背景カーテン５３は、その模様部分のみが光透過部（透かし部）であるため、撮影の際の乱反射を抑制することができる。さらに、上記補助背景カーテン５３の素材には通常の背景素材（例えば、布製）を用いることができるため、従来のようなビニル系素材を用いた透明カーテンに比較して、その移動が容易であるとともに、湾曲や型のない適正な状態（ほぼ平面の状態）をもって撮影ができる。この結果、ユーザの要望を充足する、バリエーション豊富な美しい背景を容易（迅速）に撮影することができる。
【００４７】
図５（ａ）（ｂ）においては、補助背景カーテン５３ａはハート柄の透明部あるいは刳り貫き部を有し、補助背景カーテン５３ｂは水玉柄の透明部あるいは刳り貫き部を有し、補助背景カーテン５３ｃはチェック柄の透明部あるいは刳り貫き部を有する。また、背景カーテン５４ａ〜ｆはそれぞれ、赤、青、黄、緑、白、ピンクの単色構成である。なお、この背景カーテン５４ａ〜ｆはストライプ構成でも構わない。
【００４８】
また、補助背景カーテン５３に、被写体の顔等に対応する穴開き部分を設けておき、この補助背景カーテン５３を被写体の前方（カメラユニット２側）に配してもかまわない。この場合、ユーザは上記穴あき部分に顔等を入れた状態で撮影することになる。
【００４９】
なお、各補助背景カーテン５３と、各背景カーテン５４との巻き取り方向は互いに逆向きとなっている。また、図示しないが、スライドユニット５８ｘには、第１の回転ローラ５５を回転駆動させる第１のローラ用モータが内蔵され、スライドユニット５８ｙ内には、第２の回転ローラ５６を回転駆動させる第２のローラ用モータが設けられている。さらに、図示しないが、背景装置１００には、各補助背景用ロール軸５１ａ〜５１ｃを回転駆動させる第１のカーテン用モータと、各背景用ロール軸５２ａ〜５２ｆを回転駆動させる第２のカーテン用モータとが設けられている。
【００５０】
図４は、この背景装置１００と、これを制御する本体装置１１の背景制御部との関係を示すブロック図である。同図に示されるように、背景制御部７２は、カーテン用モータ制御部７７と、スライドモータ制御部７８と、ローラ用モータ制御部７９とを備えている。カーテン用モータ制御部７７は、各補助背景用ロール軸５１ａ〜５１ｃと背景用ロール軸５２ａ〜５２ｆとの回転駆動を制御する。すなわち、入力部からのユーザの選択結果（補助背景カーテンと背景カーテン）を受けて、選択された補助背景用ロール軸５１と背景用ロール軸５２とを所定回転数だけ回転させ、補助背景カーテン５３と背景カーテン５４とを所定距離だけ垂れた状態とする。スライドモータ制御部７８は、補助背景用および背景用のスライドモータ９１を制御する。すなわち、カーテン用モータ制御部７７からの回転終了通知を受けて、スライドモータ９１を所定回転数回転させ、第１および第２の回転ローラ５５・５６を撮影方向に移動させる。ローラ用モータ制御部７９は、第１および第２の回転ローラ５５・５６の回転を制御する。すなわち、スライドモータ制御部７８からの回転終了通知を受けて、第１および第２の回転ローラを所定回転数回転させ、補助背景カーテン５３と背景カーテン５４とを床６６の方向へ降ろしていく。
【００５１】
次に、図５（ａ）を用いて、この背景装置１００の動作を説明する。
【００５２】
プレイ前の状態では、スライドユニット５８ｘおよび第１の回転ローラ５５は、各補助背景カーテン５３ａ〜５３ｃに対して本体装置１１側の所定位置Ｒ１に配置される。また、スライドユニット５８ｙおよび第２の回転ローラ５６は、各背景カーテン５４ａ〜５４ｆに対して対向壁３０側の所定位置ｒ１に配置される。
【００５３】
プレイが開始されると、まず、入力部８ｂ（図９参照）からユーザのカーテン選択結果（ここでは、補助背景カーテン５３ａおよび背景カーテン５４ｂが選択されたとする）が撮影処理部７４を介して背景制御部７２に送られる。これを受けて、背景制御部７２（背景制御手段）は、第１のカーテン用モータを所定回転数だけ回転させ、選択された補助背景カーテン５３ａに対応する補助背景用ロール軸５１ａを回転させるとともに、第２のカーテン用モータを所定回転数だけ回転させ、選択された背景カーテン５４ｂに対応する背景用ロール軸５２ｂを回転させる。これにより、補助背景カーテン５３ａおよび背景カーテン５４ｂはそれぞれ、その一部が床６６方向に垂れた状態（第１・２の回転ローラ５５・５６の配置位置からさらに所定距離だけ垂れた状態）となる。
【００５４】
ここでは、補助背景カーテン５３ａと各背景カーテン５４ｂとの巻き取り（回転）方向を互いに逆向きとし、補助背景カーテン５３ａにおける引き出された（垂れた）部分は、補助背景用ロール軸５１ａの対向壁３０側になり、背景カーテン５４ｂにおける引き出された（垂れた）部分は、背景用ロール軸５２ｂの対向壁３０側となるにしておくことが好ましい。
【００５５】
ついで、背景制御部７２（背景制御手段）は、補助背景用のスライドモータ９１（図３（ａ）参照）を所定回数回転させて、第１の回転ローラ５５を対向壁３０側の所定位置Ｒ２まで移動させる。この結果、第１の回転ローラ５５は補助背景カーテン５３ａに当接し、その当接状態のまま、この補助背景カーテン５３ａの垂れた部分を所定位置Ｒ２まで移動させることになる。これと同時に、背景制御部７２（背景制御手段）は、背景用のスライドモータ９１（図３（ａ）参照）を所定回数回転させて、第２の回転ローラ５６を本体装置１１側の所定位置ｒ２まで移動させる。
【００５６】
この結果、第２の回転ローラ５６は背景カーテン５４ｂに当接し、その当接状態のまま、この背景カーテン５４ｂの垂れた部分を所定位置ｒ２まで移動させることになる。これにより、補助背景カーテン５３ａの撮影空間５７内に垂れた部分と、背景カーテン５４ｂの撮影空間内に垂れた部分とが近接した状態となる。
【００５７】
ついで、背景制御部７２（背景制御手段）は、第１のローラ用モータと第１のカーテン用モータとを所定回転数回転させ（このとき、第１の回転ローラ５５と補助背景用ロール軸５１ａとは逆方向に回転する）、これによって、補助背景カーテン５３ａを床６６付近まで降ろす。同時に、背景制御部７２（背景制御手段）は、第２のローラ用モータと第２のカーテン用モータとを同方向に所定回転数回転させ（このとき、第２の回転ローラ５６と背景用ロール軸５２ｂとは逆方向に回転する）、これによって、背景カーテン５４ｂを床６６付近まで降ろす。
【００５８】
これにより、カーテン状の補助背景カーテン５３ａと背景カーテン５４ｂとを近接位置にて、撮影空間５７に降ろしていくことができる。この結果、補助背景カーテン５３ａと背景カーテン５４ｂとが自然な状態で合成され、（補助背景カーテン５３ａと背景カーテン５４ｂとが同一平面で合成されたかのような）不自然さのない美しい背景を撮影することができる。
【００５９】
また、どの補助背景カーテン５３が選択された場合でも、この補助背景カーテンが配される位置が変わらないので、背景の撮影品質を均一なものにできる。同様に、どの背景カーテン５４が選択された場合でも、この背景カーテン５４が配される位置が変わらないので、背景の撮影品質を均一なものにできる。
【００６０】
以上の説明は、背景カーテン５４を１枚選択し、これを撮影空間５７内に降ろしていく場合についてのものであるが、複数の背景カーテン５４（例えば、５４ａと５４ｂと）を段違いになるように降ろしても構わない（図２（ｅ）参照）。この場合、まず、背景カーテン５４ａが垂れ下がった状態（第２の回転ローラ５６の配置位置からさらに所定距離だけ垂れた状態）とする。ここで、第２の回転ローラ５６を、背景カーテン５４ａに当接するまで本体装置１１の側へ移動させる。ついで、第２の回転ローラ５６および背景用ロール軸５２ａを回転させ、背景カーテン５４ａが背景空間の中央付近（上下方向の中ほど）まで降りたところで、第２の回転ローラ５６および背景用ロール軸５２ａの回転を止める。その後、第２の回転ローラ５６を一旦初期位置ｒ１まで戻す。そして、背景カーテン５４ｂが垂れ下がった状態（第２の回転ローラ５６の配置位置からさらに所定距離だけ垂れた状態）とする。ここで、第２の回転ローラ５６を、背景カーテン５４ｂに当接するまで本体装置１１の側へ移動させる。ついで、第２の回転ローラ５６および背景用ロール軸５２ｂを回転させ、背景カーテン５４ｂを床６６付近まで降ろす。
【００６１】
このようにすると、補助背景カーテン５３の模様部分（透明部１０５あるいは刳り抜き部１０６）から、複数の背景カーテン５４ａ・５４ｂが透けることになり、背景のバリエーションを一層増加させることができる。
【００６２】
なお、この一連の動作において、背景用ロール軸５２ａ・５２ｂの回転駆動はカーテン用モータ制御部７７により制御される。また、第２の回転ローラ５６の撮影方向の移動はスライドモータ制御部７８によって制御され、この第２の回転ローラ５６の回転駆動はローラ用モータ制御部７９によって制御される。
【００６３】
なお、背景装置１００においては、補助背景用ロール軸５１に巻かれた補助背景カーテン５３の枚数は３種類に限定されない。１枚以上であれば何枚でもかまわない。また、背景用ロール軸５２に巻かれた背景カーテン５４の枚数も６枚に限定されない。対向壁３０を背景にするのであれば、なくてもよいし、何枚でもかまわない。また、これらの配置も図５（ｂ）に示された場合に限定されない。
【００６４】
図７は、背景装置１００における補助背景カーテンおよび背景カーテンの別の配置例を示す断面図である。同図に示されるように、３種類の補助背景カーテン５３ｄ〜５３ｆと、３種類の背景カーテン５４ｇ〜５４ｉとを、本体装置１１から対向壁３０に向かって（撮影方向に）順に並べるが、その配置位置の床６６からの距離を、相違させる。
【００６５】
すなわち、第１の回転ローラ５５の（移動後の）所定位置Ｒ２から最も遠い（本体装置１１よりの）補助背景カーテン５３ｄと床６６との距離を小さく、第１の回転ローラ５５の（移動後の）所定位置Ｒ２から最も近い補助背景カーテン５３ｆと床６６との距離を大きくする。また、第２の回転ローラ５６の（移動後の）所定位置ｒ２から最も遠い（対向壁３０よりの）背景カーテン５４ｉと床６６との距離を小さく、第２の回転ローラ５６の（移動後の）所定位置ｒ２から最も近い補助背景カーテン５４ｇと床６６との距離を大きくする。
【００６６】
このように、各カーテン（補助背景・背景カーテン）を上下方向に段差をつけておけば、各カーテンに同じ長さのものを用いることができる。
【００６７】
また、３種類の補助背景カーテン５３ｄ〜５３ｆを、撮影空間５７上の、本体装置１１側にて上下に（撮影空間５７から床６６への向きおよびその反対の向き）配置し、３種類の背景カーテン５４ｇ〜５４ｉを、撮影空間５７上の、対向壁３０側にて上下に（撮影空間から床６６への向きおよびその反対の向き）配置してもかまわない。この場合には、補助背景カーテン５３ｄ〜５３ｆと背景カーテン５４ｇ〜５４ｉとを、撮影方向に関して近接配置することが好ましい。
【００６８】
さらに、各カーテンに対応するカーテンガイドの位置を互いにずらすことによって、補助背景カーテン５３ｄ〜５３ｆと背景カーテン５４ｇ〜５４ｉとをすべて上下方向（撮影空間５７から床６６への向きおよびその反対の向き）に配置することも可能である。
【００６９】
以上説明した背景装置１００は、モータによる機械が制御されるものであるが、本発明の背景移動手段および補助背景移動手段はこれに限定されない。たとえば、補助背景カーテン（所定の模様形状を有する透明部あるいは刳り抜き部を備えたもの）や背景カーテンを、例えばロール軸（背景移動手段・補助背景移動手段）に巻いた状態にしておき、撮影時に、ユーザが好みのカーテン（背補助背景カーテン・背景カーテン）を手動で引きおろす構成であってもかまわない。
【００７０】
また、補助背景カーテンや背景カーテン用のレール（背景移動手段・補助背景移動手段）を撮影方向に直交するように設置し、このレールに、補助背景カーテン（所定の模様形状を有する透明部あるいは刳り抜き部を備えたもの）や背景カーテンを吊るす構成でも構わない。この場合、ユーザは好みの背景カーテンと補助背景カーテンとを選択し、これを自らの背面や前面に移動させ（カーテンを引き）、撮影を行うことになる。
【００７１】
このような場合においても、補助背景カーテンの透明部あるいは刳り抜き部に背景カーテンが透けて撮影され、模様部分が背景カーテンの色あるいは柄になる。すなわち、上記補助背景カーテンと上記背景カーテンとを合成した背景を撮影することができ、背景のバリエーションを増加させることができる。
【００７２】
また、上記補助背景カーテンは、その模様部分のみが光透過部（透かし部）であるため、撮影の際の乱反射を抑制することができる。さらに、上記補助背景カーテンの素材には通常の背景素材（例えば、布製）を用いることができるため、ビニル系素材を用いた透明カーテンに比較して、その移動が容易であるとともに、湾曲や型のない適正な状態（ほぼ平面の状態）をもって撮影ができる。この結果、美しい背景を迅速に撮影することができる。
【００７３】
以上のように、本発明の写真撮影プリント装置１０は、補助背景カーテン５３の模様部分のみが透明部１０５（図２（ａ）参照）あるいは刳り貫き部１０６（図２（ｂ）参照）となっているため、撮影の際の乱反射を抑制することができる。さらに、従来のビニル系素材を用いた透明カーテンに比較して、その移動が容易であるとともに、湾曲や型のない適正な状態（ほぼ平面の状態）をもって撮影ができる。これにより、美しい背景を迅速に撮影することができ、ユーザの要望を充足することができる。
【００７４】
以下では、本実施の形態における写真撮影プリント装置１０の各構成および使用（プレイ）方法を詳細に説明する。
【００７５】
本実施形態に係る写真撮影プリント装置１０は、利用者の写真を撮影する機能（撮影機能）、撮影した写真に対して落書きなどの編集を利用者に行わせる機能（編集機能）、及び編集された画像をプリントする機能（プリント機能）を備えているものである。
【００７６】
（写真撮影プリント装置の外観的構成）
図６は、本実施形態に係る写真撮影プリント装置１０を上方から見た際の透視平面図である。同図に示すように、写真撮影プリント装置１０は、利用者を被写体として撮影するカメラユニット（撮影手段）２を備える本体装置１１と、被写体の背景となる、背景補助カーテンおよび背景カーテン５３・５４と、対向壁３０とを備えている。本体装置１１と対向壁３０との間は写真撮影が行われる撮影空間５７となっている。さらに、写真撮影プリント装置１０は、利用者に編集を行わせる編集領域６および事後接客領域７を備えている。なおここでは、撮影空間５７と編集領域６と事後接客領域７とが別に設けられているが、何れか２つが１つになっていても、全てが１つになっていてもかまわない。
【００７７】
（撮影空間の構成）
図８は、写真撮影プリント装置１０における撮影空間５７側における斜視図である。なお、以下で示す撮影空間の構成は、あくまで一実施例であり、被写体の撮影を行うことが可能な構成であればどのような構成であっても構わない。
【００７８】
同図に示すように、装置本体１１には、撮影空間５７側において、カメラユニット２、撮影処理用タッチパネル（画像表示部）８、硬貨投入口９が備えられている。また、撮影空間５７内には、被写体を照明する照明装置として、蛍光灯、ストロボランプ、反射板（これらは装置本体３内に設置されているため、図示せず）、および拡散板９９・９９が配備される。また、図示はしないが、ガイダンス音声、ＢＧＭなどの音声を出力するスピーカが、装置本体３、撮影空間５７内、編集空間６内、および事後接客領域７内などに配備されている。
【００７９】
撮影処理用タッチパネル８は、例えば液晶表示装置などのフラットパネルディスプレイやＣＲＴ（cathode ray tube）等の表示面にタッチセンサを設けて構成されている。この撮影処理用タッチパネル８には、撮影処理における各種メッセージや画像などが表示される。具体的には、撮影処理用タッチパネル８には、デモ画面、オープニング画面、課金処理指示画面、撮影処理における各種操作内容等が表示される。また、撮影処理用タッチパネル８には、撮影時の撮影画面などいわゆるライブビュー画像が表示される。これにより、カメラユニット２に向かって撮影ポーズをとる利用者は、リアルタイムで自身の姿を視認することができ、自身のポーズを確認しながら、撮影処理を行うことができる。
【００８０】
なお、撮影処理用タッチパネル８とは別に、ライブビュー画像を表示させるための表示手段を設けた構成としてもよい。
【００８１】
硬貨投入口９は、利用者がプレイ料金として所定金額の硬貨を投入するための投入口である。硬貨返却口１０は、釣り銭が生じた場合や、硬貨が投入された後でリセットされた場合に、硬貨を利用者に対して返却するための返却口である。また、装置本体３の内部には、利用者から徴収した硬貨を蓄積する硬貨容器（図示せず）が設けられている。
【００８２】
蛍光灯は、撮影時の照明として機能するとともに、通常時の撮影空間の照明としても機能する。具体的には、蛍光灯は、撮影時にカメラユニット２が撮影するライブビューにおける光量、つまり、利用者が撮影の構図やポーズを考えている期間の光量を確保する。それとともに、例えば、「きれいな写真がとれそう」という印象を利用者に与えるといったような、照明による撮影空間の演出を行う。蛍光灯は、本体装置１１内において、カメラユニット２の両側に配備される。
【００８３】
ストロボランプは、撮影時の写真閃光灯として機能するものであり、本体装置１１内において、カメラユニット２の両側に配備される。
【００８４】
反射板は、蛍光灯やストロボランプからの光を前方に反射させるためのものであり、光を拡散板９９・９９の方向に導くように設置される。反射板は、その反射面がステンレス等から構成され、形状としては、拡散板９９・９９に光を集められるような形状であればいよい。
【００８５】
拡散板９９・９９は、反射板にて反射された光を拡散して撮影空間に出射させるためのものである。拡散板９９・９９は、例えば、薄い乳白色のアクリル板などによって構成されている。形状としては、本実施形態では、発光面が略平面状となっており、また、鉛直方向に長い長方形である。
【００８６】
なお、必要に応じて、照明装置１６からの光量が変化したり、照明方向が変更したりするようになっていてもよい。
【００８７】
スピーカは、利用者に対して各種操作上のガイダンス音声や効果音、ＢＧＭ（back ground music）などを出力するものである。
【００８８】
（編集空間、事後接客領域の構成）
ここで、上記の図１は、写真撮影プリント装置１０における編集領域６（図６参照）側における斜視図である。なお、以下で示す編集空間および事後接客領域の構成は、あくまで一実施例であり、利用者が撮影画像に対して編集を行うことが可能な構成、および、利用者に対して出力されたプリントを提供することが可能な構成であればどのような構成であっても構わない。
【００８９】
同図に示すように、装置本体１１には、編集領域６側において、編集処理用タッチパネル（画像表示部）１２、およびタッチペン１３ａ・１３ｂが設けられている。加えて、装置本体１１には、事後接客領域７側の側面において、事後接客用タッチパネル１４、および撮影後のプリントが排出されるプリント排出口１５が設けられている。
【００９０】
編集処理用タッチパネル１２は、装置本体１１の編集領域６側に設けられており、例えば液晶表示装置などのフラットパネルディスプレイやＣＲＴ等の表示面にタッチセンサを設けて構成されている。編集処理用タッチパネル１２は、落書きなどの編集処理における各種メッセージや画像などを表示する。具体的には、編集処理用タッチパネル１２には、落書きなどの画像編集処理時における編集対象の画像および各種編集ツールなどが表示される。
【００９１】
そして、編集処理用タッチパネル１２の近傍には、タッチペン１３ａ・１３ｂが備えられている。利用者は、このタッチペン１３ａ・１３ｂを編集処理用タッチパネル１２に接触させることによって、処理の進行に応じて表示されるボタンを選択したり、落書きなどの画像描画を行ったりすることが可能となる。ここで、図１に示すように、装置本体１１には、タッチペン１３ａ・１３ｂが、２つ設置されていることにより、２人の利用者が同時に落書き処理などを入力することができる。
【００９２】
あるいは、装置本体１１には、編集処理用タッチパネル１２ａ・１２ｂおよびタッチペン１３ａ・１３ｂが２組並設されていてもよい。この場合に、２つの編集処理用タッチパネル１２ａ・１２ｂにそれぞれに表示された撮影画像に、２人の利用者が同時に落書き処理などを入力することができる。なお、このように編集処理用タッチパネル１２ａ・１２ｂが２つあり、異なる画像をそれぞれ表示させることができると、利用者は、別々の画像に対して落書き処理などを入力することもできる。また、落書き処理において、一方の編集処理用タッチパネル１２ａから入力された落書き処理を他方の編集処理用タッチパネル１２ｂに反映される反映処理や落書き可能範囲を制限する処理などが行われるようになっていてもよい。
【００９３】
なお、編集処理用タッチパネル１２近傍にスピーカを設けておき、利用者に編集作業の指示等を与える音声を出力できるようになっていると好ましい。また、編集処理用タッチパネル１２近傍に蛍光灯が設けられていると、編集領域６を明るく照らすことができるため好ましい。また、編集領域６には、専用の囲い、例えば、カーテンが設けられていてもよい。このようなカーテンを設けることにより、他人に編集作業を覗かれることがない。そのため利用者は、落ち着いて編集作業を行うことができる。
【００９４】
事後接客用タッチパネル（画像表示部）１４は、装置本体１１の事後接客領域７側に設けられており、例えば液晶表示装置などのフラットパネルディスプレイやＣＲＴ（cathode ray tube）等の表示面にタッチセンサを設けて構成されている。事後接客用タッチパネル１４は、プリント処理を待つ利用者に対して、何らかの情報を表示する機能を実現するものである。
【００９５】
なお、事後接客用タッチパネル１４近傍にもスピーカを設けておき、利用者に事後接客のための音声を出力できるようになっていると好ましい。また、事後接客用タッチパネル１４近傍に蛍光灯が設けられていると、事後接客領域７を明るく照らすことができるため好ましい。また、事後接客領域７に、専用の囲い、例えば、カーテンが設けられていると好ましい。専用の囲いがあると、他人に事後接客用タッチパネル１２上の画面を覗かれることがないため、利用者は、落ち着いて画面を見たり、事後接客領域７での作業を落ち着いて行うことができる。ただし、事後接客用タッチパネル１４は、本発明においては必須の構成ではなく、設けられていなくてもよい。
【００９６】
プリント排出口１５は、撮影処理および編集処理を終えた後に、後述のプリンタによってプリントされた写真プリントが排出される箇所である。このプリンタは、装置本体１１の内部における事後接客領域７側に配置されており、編集作業を終了すると、利用者は、事後接客領域７に移動して写真プリントを取り出すことになる。
【００９７】
このような構成の写真撮影プリント装置１０によれば、撮影処理を行う撮影空間５７と編集処理を行う編集領域６と事後接客領域７とが分離されているため、撮影空間５７と編集領域６と事後接客領域７とにおいて三重に接客することが可能となり、利用者の回転率を高めることが可能となっている。
【００９８】
なお、撮影空間５７と編集領域６と事後接客領域７とが分離されていなくてもかまわない。また、タッチパネルも３カ所にあるが、例えば、１つのタッチパネルで、撮影処理、編集処理、事後接客処理における表示が全て行われてもよい。あるいは、２カ所にタッチパネルがあり、撮影処理、編集処理、事後接客処理における表示の何れか２つが同じタッチパネルで行われるようになっていてもよい。
【００９９】
また、写真撮影プリント装置１０には、撮影空間５７に利用者がいることを撮影空間５７の外に向けて表示するためのランプ等が外側に設けられていてもかまわない。また、撮影空間５７、編集領域６、事後接客領域７に荷物置スペースや荷物掛けフック等が設けられていると、利用者は荷物を視界内に入れることができるので、置き引きを防止することができる。なお、上記設置物の設置位置は特に限定されない。
【０１００】
（写真撮影プリント装置の機能的説明）
次に、上記写真撮影プリント装置１０の機能的な構成について、図９に示すブロック図を参照しながら説明する。同図に示すように、写真撮影プリント装置１０は、前記したカメラユニット２、撮影処理用タッチパネル８、編集処理用タッチパネル１２、事後接客用タッチパネル１４、照明装置１６、および背景演出装置３１に加えて、制御装置２０、記憶装置３０、電源装置３２、課金処理部３３、ＩＤタグリーダ／ライタ３４、プリンタ（画像出力部）３５、およびプリント紙ユニット４０を備えている。
【０１０１】
なお、図９において、編集処理用タッチパネル１２が備える表示部１２ａは、編集処理用タッチパネル１２における表示部に相当するものであり、入力部（入力手段）１２ｂは、編集処理用タッチパネル１２におけるタッチパネルに相当するものである。同様に、撮影処理用タッチパネル８および事後接客用タッチパネル１４における表示部８ａ・１４ａ、入力部８ｂ・１４ｂも、それぞれの表示部および入力部に相当するものである。
【０１０２】
電源装置３２は、写真撮影プリント装置１０が備える各種構成に対して電力供給を行うためのものである。
【０１０３】
課金処理部３３は、硬貨投入口９からの代金投入、及び硬貨返却口１０からの返却処理などを制御するものであり、利用者から徴収する課金に関する処理を行うブロックである。課金処理部３３による課金状況に応じて、制御装置２０が該当利用者に対する動作を制御する。
【０１０４】
ＩＤタグリーダ／ライタ３４及びプリンタ３５は、プリンタユニットを構成しており、このプリンタユニットに対して、写真プリントの出力媒体となるプリント紙（プリント媒体）４２及びＩＤタグ４１がプリント紙ユニット４０としてセットで納入されるようになっている。
【０１０５】
プリンタ３５は、出力すべき画像データが制御装置２０から送られてくると、その画像データに基づいてプリント紙４２に印刷を行うものである。このプリンタ３５としては、例えば昇華型プリンタが用いられる。なお、昇華型プリンタを用いる場合には、プリント紙４２及びＩＤタグ４１に加えて、昇華型用インクフィルムがセットとなって納入されることになる。
【０１０６】
ＩＤタグリーダ／ライタ３４は、ＩＤタグ４１に記録されている各種識別情報を読み出して制御装置２０に出力する。ＩＤタグ４１は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【０１０７】
制御装置２０は、ＩＤタグリーダ／ライタ３４で読み取った識別情報に基づいて、装着されたプリント紙４２及びインクフィルムが、当該写真撮影プリント装置１０において利用可能なものであるかを判定し、利用可能である場合にのみプリンタ３５を動作可能とする。すなわち、写真撮影プリント装置１において指定されているプリント紙４２及びインクフィルム以外は使用できないように設定されていることになる。
【０１０８】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【０１０９】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【０１１０】
ＩＤタグ４１としては、無線によりデータ通信を行うことが可能な非接触型ＩＤタグと、端子が設けられた接触型ＩＤタグとがあり、ＩＤタグリーダ／ライタ３４としては、これらのどちらか一方あるいは両方に対応したものとなる。
【０１１１】
なお、上記の例では、ＩＤタグを利用して利用可能なプリント紙であるか否かを確認するようになっているが、これに限定するものではなく、例えば、プリント紙及びインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【０１１２】
なお、上記のプリント紙４２としては、通常の紙状媒体である紙状シートであってもよいし、粘着シート及び該粘着シールの粘着面に貼り付けられている剥離シートからなるシールシートであってもよい。
【０１１３】
制御装置２０は、写真撮影プリント装置１０内における上述した各種構成の動作を統括的に制御するものである。この制御装置２０は、照明制御部７１、背景制御部７２、編集処理部（編集手段）７３、撮影処理部７４、印刷処理部（画像出力手段）７５、および事後接客処理部７６を備えた構成となっている。
【０１１４】
撮影処理部７４は、撮影空間５７において撮影処理が行われる際の制御を行うブロックである。すなわち、撮影処理部７４は、撮影処理における各種メッセージや、カメラユニット２によって撮影されているライブビュー画像などを、撮影処理用タッチパネル８が備える表示部８ａに表示させる処理を行う。また、撮影処理部７４は、撮影処理用タッチパネル８が備える入力部８ｂからの利用者による入力指示に従って各種撮影設定を行ったり、撮影指示に従って撮影画像データを取得し、この撮影画像データを記憶装置３０に記憶させる処理を行う。また、撮影処理部７４は、撮影処理時に、照明制御部７１および背景制御部７２に対して指示を行う。
【０１１５】
照明制御部７１は、撮影処理部７４からの指示に従って、照明装置１６の照明動作の制御を行うブロックである。背景制御部７２は、撮影処理部７４からの指示に従って、背景演出装置３１の背景演出動作の制御を行うブロックである。
【０１１６】
編集処理部７３は、撮影処理が行われた後に、撮影画像に対して落書きなどの編集処理が行われる際の制御を行うブロックである。すなわち、編集処理部７３は、撮影画像データを記憶装置３０から読み出すとともに、これを編集処理用タッチパネル１２における表示部１２ａに表示させ、入力部１２ｂからの利用者による入力指示に従って画像編集処理を行う。そして、編集処理部７３は、編集処理が終了した後に、編集処理済画像データを記憶装置３０に記憶させる処理を行う。なお、編集処理部７３の詳細については後述する。
【０１１７】
事後接客処理部７６は、事後接客に関する処理を行う。すなわち、事後接客処理部７６は、事後接客用タッチパネル１４が備える表示部１４ａに事後接客用の画面表示を行うとともに、入力部１４ｂからの利用者による入力指示に従って、事後接客に関する入力処理を行う。
【０１１８】
印刷処理部７５は、編集処理が終了した後に、記憶装置３０から編集処理済画像データを読み出し、これをプリンタ３５から出力させる処理を行うブロックである。
【０１１９】
記憶装置（記憶部）３０は、ハードディスクなどの不揮発性の記憶装置によって構成されるものである。この記憶装置３０に記憶される内容としては、制御装置２０を動作させる上で必要となる制御プログラム、ＯＳ（operating system）プログラム、およびその他各種プログラム、カメラユニット２における動作設定値、撮影画像データ、編集処理済画像データなどが挙げられる。カメラユニット２における動作設定値としては、装置出荷時やメンテナンス時などに設定されるホワイトバランスの値、撮影画像の明暗などを調整する際の画像処理に関する各種パラメータ値などが挙げられる。
【０１２０】
（全体処理の流れ）
次に、上記写真撮影プリント装置１０における処理の流れについて、図１０に示すフローチャートを参照しながら説明する。まず、ステップ１（以降、Ｓ１のように称する）において、硬貨の投入があるか否かの確認を行う。ここで、利用者による硬貨投入口９から硬貨の投入があることを確認すると（Ｓ１においてＹＥＳ）、次のＳ２に進む。ここで、硬貨の投入を確認できない場合には（Ｓ１においてＮＯ）、硬貨の投入を待つ。すなわち、客待ち状態を維持する。この客待ち状態では、例えば、撮影処理用タッチパネル８にデモ画面等を表示させておいてもよい。
【０１２１】
Ｓ２では、撮影処理が行われる。この撮影処理では、背景用のカーテン（補助背景カーテンや背景カーテン）の選択や実際の撮影処理などが行われる。ここで、利用者は、撮影処理用タッチパネル８のライブビュー画像を確認しながら、自分の立ち位置やポーズなどを考え、準備が整い次第、撮影開始指示を行うことによって撮影が行われる。
【０１２２】
ここで、背景用のカーテン（補助背景カーテンや背景カーテン）の選択画面を図１１に示す。ユーザはこの選択画面により、好みの背景カーテン（色）と、補助背景カーテン（柄）とを選択する。この表示例は、背景カーテン（色）が４種類、補助背景カーテン（柄）が４種類の場合である。
【０１２３】
そして、Ｓ３において、Ｓ２における撮影開始からの経過時間が設定時間（ここでは、２分）を超えたか否かを判断する。超えていない場合には（Ｓ３においてＮＯ）、Ｓ２における撮影処理が繰り返し行われる。なお、ここでは、経過時間が２分をオーバーした場合に撮影処理の終了を行う設定になっているが、例えば、撮影枚数が累積限度なった場合や、利用者によって撮影処理の終了指示が出されることにより、撮影処理が終了されるようになっていてもよい。ここで撮影処理によって生成された撮影画像データは、記憶装置３０に記憶される。
【０１２４】
Ｓ３において、経過時間が２分を超えたことが確認されると（Ｓ３においてＹＥＳ）、撮影処理用タッチパネル８に、利用者を編集領域６に移動する案内が表示されて、Ｓ４に進む。
【０１２５】
Ｓ４では、編集処理が行われる。編集処理部２１は、記憶装置３０から編集対象となる画像、すなわち撮影画像データを読み出し、編集処理用タッチパネル１２の表示部１２ａに編集対象となる画像、すなわち撮影処理によって生成された画像が表示する制御を行う。この画像に対してタッチペン１３ａ．１３ｂを用いて落書きなどの編集処理が行われる。この編集処理の詳細については後述する。
【０１２６】
そして、Ｓ５において、Ｓ４における編集開始からの経過時間が設定時間（ここでは、２分）を超えたか否かを判断する。超えていない場合には（Ｓ５においてＮＯ）、Ｓ４に戻って編集処理を継続する。なお、ここでは、経過時間が２分をオーバーした場合に撮影処理の終了を行う設定になっているが、例えば、利用者によって編集処理の終了指示が出されることにより、編集処理が終了されるようになっていてもよい。また、利用者による編集処理の作業が終了すると、利用者の指示に基づいて、または自動的に、編集処理した各画像をどのような配置でプリント紙４２に印刷するのかが決定されてもよい。
【０１２７】
Ｓ５において、経過時間が２分を超えたことが確認されると（Ｓ５においてＹＥＳ）、編集処理用タッチパネル１２に、利用者を事後接客領域７に移動する案内を表示して、Ｓ６に進む。
【０１２８】
Ｓ６では、事後接客処理が行われる。この事後接客処理では、Ｓ４において編集が施された画像データに基づいて、プリンタ３５がプリント紙４２に対して画像出力し、これをプリント排出口１５から排出する間（あるいは、排出した後の一定期間まで）に、事後接客用タッチパネル１４に何らかの画像、例えばゲーム等、を表示する。なお、この事後接客用の表示が、編集処理用タッチパネル１２で行われてもよい。上記ゲームの表示は、例えば、記憶装置３０、第１画像処理部２２、タッチパネル制御部２１等により行われればよい。
【０１２９】
以上のシーケンスによって、写真撮影プリント装置１０における、撮影処理、編集処理から事後接客処理に至る一連の動作が終了する。
【産業上の利用可能性】
【０１３０】
本発明は、背景用カーテンを用いてバリエーション豊富で美しい背景を演出できるため、背景を撮影できる写真撮影プリント装置に広く利用可能である。
【図面の簡単な説明】
【０１３１】
【図１】本発明の実施の一形態に係る写真撮影プリント装置の全体構成を示す斜視図である。
【図２】（ａ）（ｂ）は、本実施の形態に係る補助背景カーテンを示す平面図であり、（ｃ）（ｄ）（ｅ）は、本実施の形態に係る背景カーテンを示す平面図であり、（ｆ）（ｇ）（ｈ）は、本実施の形態に係る補助背景カーテンと背景カーテンとの合成状態を示す平面図であ。
【図３】（ａ）は、本実施形態のスライドユニットの構成を示す平面図であり、（ｂ）は、該スライドユニットの側面図である。
【図４】本実施形態の背景装置の制御関係を説明するブロック図である。
【図５】（ａ）は、上記写真撮影プリント装置の全体構成を示す側面図であり、（ｂ）は、（ａ）における背景装置の拡大断面図である。
【図６】上記写真撮影プリント装置の全体構成を示す平面図である。
【図７】本実施形態における背景装置の別の構成例を示す側面図である。
【図８】図１に示す写真撮影プリント装置を別の角度から示す斜視図である。
【図９】上記写真撮影プリント装置の全体の制御関係を説明するブロック図である。
【図１０】上記写真撮影プリント装置のプレイ手順を示すフローチャートである。
【図１１】上記写真撮影プリント装置における補助背景カーテン、背景カーテンの選択画面を示す説明図である。
【符号の説明】
【０１３２】
２  カメラユニット（撮影手段）
１０  写真撮影プリント装置
１１  本体装置
３５  プリンタ（画像出力手段）
５１  補助背景用ロール軸（補助背景移動手段）
５１  背景用ロール軸（背景移動手段）
５３（５３ａ〜５３ｃ）  補助背景カーテン（補助背景部材）
５４（５４ａ〜５４ｆ）  背景カーテン（背景部材）
５５  第１の回転ローラ（補助背景移動手段）
５６  第２の回転ローラ（背景移動手段）
７２  背景制御部  （制御手段）
１００  背景装置（補助背景移動手段・背景移動手段）
１０５  透明部（光透過部）
１０６  刳り貫き部（光透過部）
５８ｘ  スライドユニット（補助背景移動手段）
５８ｙ  スライドユニット（背景移動手段）
４４    プリント紙
Ｕ    被写体位置
【図１】
2005274981.tif 000003
【図２】
2005274981.tif 000004
【図３】
2005274981.tif 000005
【図４】
2005274981.tif 000006
【図５】
2005274981.tif 000007
【図６】
2005274981.tif 000008
【図７】
2005274981.tif 000009
【図８】
2005274981.tif 000010
【図９】
2005274981.tif 000011
【図１０】
2005274981.tif 000012
【図１１】
2005274981.tif 000013